(57)【特許請求の範囲】
【請求項１】
電極を有する第１及び第２基板の間に液晶を封止した構成を備えた液晶パネルにおいて、
前記第１基板には、前記液晶パネルに信号を入力するための複数の電極端子からなる電極端子群が配設され、
前記電極端子群は、狭い幅を有する第１電極端子と該第１電極端子よりも広い幅を有する第２電極端子の少なくとも２種類の電極端子を有し、
前記第２電極端子の前記第１基板端辺側の端部には、該端部を幅方向に分割するように形成された電極欠部が設けられていることを特徴とする液晶パネル。
【請求項２】
前記第２電極端子は、前記第１基板に配設された２本の前記第１電極端子に跨る幅を有することを特徴とする請求項１記載の液晶パネル。
【請求項３】
前記第１及び第２電極端子の端部と該端部に隣り合う前記第１基板の端辺との間に、前記第１電極端子とほぼ同一の幅を有し、且つ前記第１及び第２電極端子から独立した電極が設けられていることを特徴とする請求項１又は２に記載の液晶パネル。
【請求項４】
前記電極欠部に隣り合って残された前記第２電極端子の端部の幅は、前記第１電極端子の幅とほぼ同じであることを特徴とする請求項３に記載の液晶パネル。
【請求項５】
第１大型基板には複数の液晶パネルを得るための第１電極が形成されており第２大型基板には複数の液晶パネルを得るための少なくとも第２電極が形成されており第１大型基板と第２大型基板を互いの電極が対向する如く間隙を設けて配設しこの間隙に液晶封止するための複数の枠状のシールを配設して張り合わされ一体大型基板を形成したものを切断工程により切断することにより得られる液晶パネルの製造方法において、
第１大型基板上の隣り合う液晶パネルに対応する複数の第１電極が電極端を互いに対向して配設されておりこの対向する電極は狭い電極幅とそれより広い電極幅を有する少なくとも２種類の電極よりなり前記広い電極幅を有する電極の端部にはこの端部から液晶に向けて少なくとも１つの電極の欠部が配設されており前記切断工程の前記切断が前記電極欠部からこの欠部を有する電極と前記対向する前記隣の液晶パネルの電極の端部との間で成されることを特徴とする液晶パネルの製造方法。
【発明の詳細な説明】
【０００１】
【発明の属する技術分野】
本発明は、ＣＯＧ方式の液晶表示パネルで、Ｖライン反転法（上下データドライバ）のドライバＩＣの入力電極とＦＰＣの電極との接続構造に関するものである。
【０００２】
【従来の技術】
液晶表示パネルを含む液晶表示装置の電気回路のうち、信号処理系と制御系はプリント基板に配置され、ドライバＩＣ群は液晶セルに実装される実装方式のうちの、ドライバＬＳＩのチップをＬＣＤパネルに直付けするＣＯＧ（チップ・オン・グラス）方式がある。また、ＣＯＧ実装方式において、ベアチップへの信号、電源供給のためのバス配線をＦＰＣで外部にとる配線方式がある。
【０００３】
ＣＯＧ実装方式の液晶表示装置は、電極露光、パターン・エッチング工程、カラーフィルタ付け、配向、シール印刷工程、液晶注入ギャップ調整用スペーサを配置して大型ガラス板（第１、第２大型基板）を２枚重ね合わせて一体大型基板を組み立てる組立工程、スイング・ブレーク工程、スイング・ブレーク工程で作成された液晶表示セルに液晶を注入し加圧封止する工程、偏光板貼付け工程及び最終検査工程を経て製造される。
【０００４】
上記した製造工程において、組立工程を経た状態では、ドライバＬＳＩのベアチップを実装する電極パターンは、図２に示すように一体大型基板３２において、枠状の接着剤Ｓで形取られた液晶表示パネル部７が、縦方向に一列に複数形成され、横方向に複数列並べて形成してある。そして、縦方向に隣り合う隣接液晶パネルであるところの液晶表示パネル部７において、第１液晶表示パネル部である一方の液晶表示パネル部７−１における第１電極接続部である電圧導入パターン群４と、第２液晶表示部である他方の液晶表示パネル部７−２における第２電極接続部である電圧導入パターン群５とは隙間８を介して対向している。
【０００５】
一方の電極における電圧導入パターン群４は、図５に示すように左から右に第１のパターン４Ａ、第２のパターン４Ｂ、第３のパターン４Ｃ、第４のパターン４Ｄ、第５のパターン４Ｅで構成してあって、第１のパターン４Ａと第３のパターン４Ｃと第４のパターン４Ｄと第５のパターン４Ｅとは同じ幅ではあるのに対して、第２のパターン４Ｂは、これらのパターン４Ａ、４Ｃ、４Ｄ、４Ｅより幅広にしてある。
【０００６】
また、他方の電極における電圧導入パターン群５は、一方の電極における電圧導入パターン群４とはそのパターン配列が異なり、点対称であって、図５に示すように右から左に第１のパターン５Ａ、第２のパターン５Ｂ、第３のパターン５Ｃ、第４のパターン５Ｄ、第５のパターン５Ｅで構成してあって、第１のパターン５Ａと第２のパターン５Ｂと第４のパターン５Ｄと第５のパターン５Ｅは同じ幅ではあるのに対して、第３のパターン５Ｃは、これらのパターン５Ａ、５Ｂ、５Ｄ、５Ｅより幅広にしてある。
【０００７】
そして、スイング・ブレーク工程において、一体大型基板３２を、図２に示すように切断線Ｕ−Ｕ´、Ｙ−Ｙ´をレイアウトしてスクライブブレークで切断して、図１に示すような第１基板２と第２基板３とを一体にした液晶表示パネルＦを複数形成していた。
【０００８】
【発明が解決しようとする課題】
しかしながら、上記従来例にあっては、切断線Ｕ−Ｕ´が隙間８の中央に形成されてスクライブブレークにより切断されればよいが、図５に示すように切断線Ｕ−Ｕ´が隙間８の中央を外れて、一方の液晶表示パネル相当部分７−１における電圧導入パターン群４を横切る場合が生じ、図５に示すように電圧導入パターン群５に電圧導入パターン群４の残部（斜線部分）４Ｂ−１が残ることがあった。
【０００９】
また、ＦＰＣ９には電極パターン１０が設けてあって、この電極パターン１０は、右から左に第１のリードパターン１０Ａ、第２のリードパターン１０Ｂ、第３のリードパターン１０Ｃ、第４のリードパターン１０Ｄ、第５のリードパターン１０Ｅ、第６のリードパターン１０Ｆで構成してあって、第１〜第６のリードパターン１０Ａ〜１０Ｆはすべて同じ幅にしてある。
【００１０】
そして、ＦＰＣ９の第１〜第６のリードパターン１０Ａ〜１０Ｆを、液晶表示パネルＦの電圧導入パターン群５の第１〜第５のパターン５Ａ〜５Ｅに異方性導電フイルム（図示せず）を介して接着した場合に、図６に示すように、第４のリードパターン１０Ｄと第５のリードパターン１０Ｅとが、電圧導入パターン群５に残っている電圧導入パターン群４の第２の電圧導入パターン４Ｂの残部４Ｂ−１に接続されることになって、第４のリードパターン１０Ｄと第５のリードパターン１０Ｅとが第２のパターン４Ｂの残部４Ｂ−１を介して短絡してしまい、液晶表示装置としての不良品を現出させることになり、歩留りが悪いという問題点があった。
【００１１】
本発明は、上記の問題点に着目して成されたものであって、その目的とするところは、ＦＰＣのリードパターンを、電圧導入パターン群のパターンに接着した場合のパターン同士の短絡が防止できて、不良品を現出させることがなくなり、歩留りが良くなる液晶表示パネルの電極接続構造を提供することにある。
【００１２】
【課題を解決するための手段】
本発明は、電極を有する第１及び第２基板の間に液晶を封止した構成を備えた液晶パネルにおいて、第１基板には、液晶パネルに信号を入力するための複数の電極端子からなる電極端子群が配設され、電極端子群は、狭い幅を有する第１電極端子とこの第１電極端子よりも広い幅を有する第２電極端子の少なくとも２種類の電極端子を有し、第２電極端子の第１基板端辺側の端部には、該端部を幅方向に分割するように形成された電極欠部が設けられていることを特徴とするものである。
第２電極端子は、第１基板に配設された２本の第１電極端子に跨る幅を有していてもよい。
また、第１及び第２電極端子の端部と該端部に隣り合う第１基板の端辺との間に、第１電極端子とほぼ同一の幅を有し、且つ第１及び第２電極端子から独立した電極が設けられていてもよい。
この場合、電極欠部に隣り合って残された第２電極端子の端部の幅は、第１電極端子の幅とほぼ同じであるのが好ましい。
また本発明は、第１大型基板には複数の液晶パネルを得るための第１電極が形成されており第２大型基板には複数の液晶パネルを得るための少なくとも第２電極が形成されており第１大型基板と第２大型基板を互いの電極が対向する如く間隙を設けて配設しこの間隙に液晶封止するための複数の枠状のシールを配設して張り合わされ一体大型基板を形成したものを切断工程により切断することにより得られる液晶パネルの製造方法において、第１大型基板上の隣り合う液晶パネルに対応する複数の第１電極が電極端を互いに対向して配設されておりこの対向する電極は狭い電極幅とそれより広い電極幅を有する少なくとも２種類の電極よりなり広い電極幅を有する電極の端部にはこの端部から液晶に向けて少なくとも１つの電極の欠部が配設されており切断工程の切断が電極欠部からこの欠部を有する電極と対向する隣の液晶パネルの電極の端部との間で成されることを特徴とするものである。
【００１３】
かかる構成により、一体大型基板を、これに切断線をレイアウトしてスクライブブレークで切断して、第１基板と第２基板とを一体にした液晶表示パネルを複数形成する際に、切断線が、一方及び他方の液晶表示パネル相当部分の電圧導入パターン群の各パターン間の隙間の中央を外れて、一方の液晶表示パネル部である液晶表示パネル相当部分の第１電極接続部である電圧導入パターン群の各パターンを横切る場合が生じ、他方の液晶表示部である液晶表示パネル相当部分における第２電極接続部である電圧導入パターン群に一方の液晶表示パネル相当部分の電圧導入パターン群の一部が残るが、この残り部分は、パターンの先部分と、幅広なパターンの先部分である一方及び他方のパターン部の一部であって、それぞれが独立したパターンであり幅が狭いため、ＦＰＣのリードパターンを、液晶表示パネルの電圧導入パターン群のパターンに異方性導電フイルム或いは半田付け或いはヒートシールを介して接着した場合に、ＦＰＣのリードパターンが、上記した残り部分に接触しても、パターン同士が短絡することはない。このために、液晶表示装置としての不良品を現出させることがなくなり、歩留りが良くなる。
【００１４】
【発明の実施の形態】
以下、本発明の実施の形態を図面に基づいて説明する。
図１はＣＯＧ方式を用い信号入力や電源を入出力するためのＦＰＣが接続された液晶表示パネルの平面図、図２は間隙調整用スペーサ（図示せず）を配置して第１大型基板と第２大型基板である大型ガラス板を２枚重ね合わせて一体大型基板を組み立てた状態の平面図、図３は一体大型基板における第２液晶表示パネル部である他方の液晶表示パネル相当部分における第２電極接続部である電圧導入パターン群に第１液晶表示パネル部である一方の液晶表示パネル相当部分の第１電極接続部である電圧導入パターン群を突き合わせた状態の説明図、図４は液晶表示パネルにおける電圧導入パターン群（ドライバＩＣの入力電極）とＦＰＣの電極パターン群との接続状態の説明図である。
なお、本発明に係る液晶表示パネルにおいて、従来例の構成の部品及び部位と同じ部品を及び部位に付いては同じ符号を付す。
【００１５】
本発明に係わる液晶表示パネルＦが従来の液晶表示パネルと異なる所は、その一方及び他方の電圧導入パターン群４、５の構成であり、他の構成は従来の液晶表示パネルの接続構造と同様であるので、同じ構成の説明は省略する。
【００１６】
すなわち、電圧導入パターン群４は、図３に示すように左から右に第１のパターン４Ａ、第２のパターン４Ｂ、第３のパターン４Ｃ、第４のパターン４Ｄ、第４のパターン４Ｅとで構成してあって、第１のパターン４Ａと第３のパターン４Ｃと第４のパターン４Ｄと第５のパターン４Ｅとは同じ幅ではあるのに対して、第２のパターン４Ｂは、これらのパターン４Ａ、４Ｃ、４Ｄ、４Ｅより幅広にしてある。そして、この第２のパターン４Ｂの端縁部４ａの中央部には欠部２０が形成してあって、この欠部２０によって、第２のパターン４Ｂの先部は二股状に成されていて、他のパターン４Ａ、４Ｃ、４Ｄ、４Ｅと同じ幅の一方及び他方のパターン部２１、２２になっている。
【００１７】
また、電圧導入パターン群５は、図３に示すように右から左に第１のパターン５Ａ、第２のパターン５Ｂ、第３のパターン５Ｃ、第４のパターン５Ｄ、第５のパターン５Ｅで構成してあって、第１のパターン５Ａと第２のパターン５Ｂと第４のパターン５Ｄと第５のパターン５Ｅとは同じ幅ではあるのに対して、第３のパターン５Ｃは、これらのパターン５Ａ、５Ｂ、５Ｄ、５Ｅより幅広にしてある。そして、この第３のパターン５Ｃの端縁部５ａの中央部には欠部２３が形成してあって、この欠部２３によって、第２のパターン５Ｂの先部は二股状に成されていて、他のパターン５Ａ、５Ｂ、５Ｄ、５Ｅと同じ幅の一方及び他方のパターン部２４、２５になっている。
【００１８】
そして、第１大型基板３０と第２大型基板３１とを重ねて固定して作成された一体大型基板３２において、一方の液晶表示パネル相当部分７−１おける電圧導入パターン群４と、他方の液晶表示パネル相当部分７−２における電圧導入パターン群５とは隙間８を介して対向している。
【００１９】
そして、一体大型基板３２を、従来例で述べたように切断線Ｕ−Ｕ´、Ｙ−Ｙ´をレイアウトしてスクライブブレークで切断して、第１基板２と第２基板３とを一体にした液晶表示パネルＦを複数形成するのであるが、切断線Ｕ−Ｕ´が隙間８の中央に形成されてスクライブブレークにより切断されればよいが、図３に示すように切断線Ｕ−Ｕ´が隙間８の中央を外れて、一方の液晶表示パネル相当部分７−１における電圧導入パターン群４を横切る場合が生じ、図３に示すように電圧導入パターン群５に電圧導入パターン群４の一部が残る。
【００２０】
この場合、電圧導入パターン群５に残る電圧導入パターン群４の一部は、パターン４Ａ、４Ｃ、４Ｄの先部分と、第２のパターン４Ｂの先部分である一方及び他方のパターン部２１、２２の一部２１−１、２２−１である。
【００２１】
そして、ＦＰＣ９の第１〜第６のリードパターン１０Ａ〜１０Ｆを、液晶表示パネルＦの電圧導入パターン群５の第１〜第５の電圧導入パターン５Ａ〜５Ｅに異方性導電フイルムを介して接着した場合に、図４に示すように、ＦＰＣ９の第１〜第６のリードパターン１０Ａ〜１０Ｆが、電圧導入パターン群５に残っている電圧導入パターン群４の第１〜第５の電圧導入パターン４Ａ〜４Ｅに接続される。
【００２２】
この場合、ＦＰＣ９の第４のリードパターン１０Ｄがパターン部２５に、ＦＰＣ９の第５のリードパターン１０Ｅが第４の電圧導入パターン５Ｄに接触しても、第４のリードパターン１０Ｄと第５のリードパターン１０Ｅとは短絡することはない。このために、液晶表示装置としての不良品を現出させることがなくなり、歩留りが良くなる。
【００２３】
上記説明では、電極接続部の渡る電極幅を２電極の間とし欠部を１箇所としたが、前記渡る電極幅が３電極の間とし欠部を２箇所としても良く、渡る電極幅をｎ（整数）として欠部をｎ−１とても良く、いづれにおいても本願の効果は得られる。
【００２４】
上記説明ではＣＯＧの図を用いて説明したが、本発明は液晶表示パネルの電極接続部とＦＰＣ或いは基板との接続に関する技術であり、接続される基板がＴＡＢ、ＴＣＰ、ＦＰＣ、その他の基板を用いても本発明は適用でき、下記した効果が得られる。
一方、本発明の液晶表示パネルの電極接続構造は、第１大型基板には複数の単個の液晶表示パネルを得るための少なくとも第１電極パターンが形成されており第２大型基板には複数の単個の液晶表示パネルを得るための少なくとも第２電極パターンが形成されており第１大型基板と第２大型基板を電極が対向する如く間隙を設けて配設しまた液晶封止するためのシールを有して張り合わされ一体大型基板を形成すると共に単個の液晶表示パネルを構成する第１液晶表示パネル部と第２液晶表示パネル部を少なくともかつ前記第１液晶表示パネル部と前記第２液晶表示パネル部が隣接されて前記一体大型基板に形成されている構成を成しており、前記第１液晶表示パネル部用の入出力電極配線である第１電極接続部と前記第１電極接続部に隣接する前記第２液晶表示パネル部の入出力配線である第２電極接続部の間には隙間を有しており前記一体大型基板を単個の液晶パネルに切断するための切断線を間隙の略中央部に設定して前記一体大型基板を単個の液晶表示パネルに切断する多数個取り液晶パネルの電極接続構造であり、前記第１電極接続部または前記第２電極接続部は少なくとも１種類以上の電極パターン幅を有した電極で構成されており、また隣接する前記第２電極接続部または前記第１電極接続部には前記隣接する少なくとも２本の電極に渡る電極パターン幅を少なくとも１箇所以上有している電極接続構造に於いて、電極接続部の渡る電極幅を電極本数ｎ（整数）本として少なくとも欠部をｎ−１箇所配設したことをも特徴とする。
【００２５】
【発明の効果】
以上説明したように、本発明の液晶表示パネルによれば、一体大型基板を、これに切断線をレイアウトしてスクライブブレークで切断して、第１基板と第２基板とを一体にした液晶表示パネルを複数形成する際に、切断線が、一方及び他方の液晶表示パネル相当部分の電圧導入パターン群の各パターン間の隙間の中央を外れて、一方の液晶表示パネル相当部分の電圧導入パターン群の各パターンを横切る場合が生じ、他方の液晶表示パネル相当部分における電圧導入パターン群に一方の液晶表示パネル相当部分の電圧導入パターン群の一部が残るが、この残り部分は、パターンの先部分と、幅広なパターンの先部分である一方及び他方のパターン部の一部であって、それぞれが独立したパターンであるために、ＴＡＢフイルムのリードパターンを、液晶表示パネルの電圧導入パターン群の電圧導入パターンに異方性導電フイルムを介して接着した場合に、ＦＰＣのリードパターンが、上記した残り部分に接触しても、パターン同士が短絡することはない。このために、液晶表示装置としての不良品を現出させることがなくなり、歩留りが良くなる。
【図面の簡単な説明】
【図１】液晶表示パネルの平面図である。
【図２】液晶表示パネルを多数個取るための一体大型基板を組み立てた状態の要部平面図である。
【図３】一体大型基板における他方の液晶表示パネル相当部分における電圧導入パターン群に一方の液晶表示パネル相当部分の電圧導入パターン群を突き合わせた状態の実施例の説明図である。
【図４】液晶表示パネルにおける電圧導入パターン群とＦＰＣの電極パターン群との接続状態の実施例の説明図である。
【図５】従来の一体大型基板における他方の液晶表示パネル相当部分における電圧導入パターン群に一方の液晶表示パネル相当部分の電圧導入パターン群を突き合わせた状態の説明図である。
【図６】従来の液晶表示パネルにおける電圧導入パターン群とＦＰＣの電極パターン群との接続状態の説明図である。
【符号の説明】
２  第１基板
３  第２基板
４  電圧導入パターン群
４Ａ  第１のパターン
４Ｂ  第２のパターン
４Ｂ−１  残部
４Ｃ  第３のパターン
４Ｄ  第４のパターン
４Ｅ  第５のパターン
５  電圧導入パターン群
５Ａ  第１のパターン
５Ｂ  第２のパターン
５Ｃ  第３のパターン
５Ｄ  第４のパターン
５Ｅ  第５のパターン
７  液晶表示パネル相当部分
７−１  液晶表示パネル相当部分
７−２  液晶表示パネル相当部分
８  隙間
９  ＦＰＣ
１０  電極パターン
１０Ａ  第１のパターン
１０Ｂ  第２のパターン
１０Ｃ  第３のパターン
１０Ｄ  第４のパターン
１０Ｅ  第５のパターン
１０Ｆ  第６のパターン
２０  欠部
２１  一方のパターン部
２２  他方のパターン部
２３  欠部
２４  一方のパターン部
２５  他方のパターン部
３０  第１大型基板
３１  第２大型基板
３２  一体大型基板
【図１】
0003999844.tif 000002
【図２】
0003999844.tif 000003
【図３】
0003999844.tif 000004
【図４】
0003999844.tif 000005
【図５】
0003999844.tif 000006
【図６】
0003999844.tif 000007